(57)【要約】【課題】アイコンを配置するための領域が不足することを抑制可能な技術を提供することを目的とする。【解決手段】ナビゲーション装置１は、左座席の方向にて視認可能な左用画像と、右座席の方向にて視認可能な右用画像とを一つの画面上に表示可能なスプリットビュー表示部２を制御する。ナビゲーション装置１は、アプリケーションの第１機能を実行する際に操作される第１画像内の第１アイコンの表示領域の少なくとも一部と、アプリケーションの第１機能と同じ第２機能を実行する際に操作される第２画像内の第２アイコンの表示領域の少なくとも一部とを、画面上において互いに重ねて配置する機能を備える。【選択図】図１
2015108981.tif 000002
【特許請求の範囲】
【請求項１】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
アプリケーションの第１機能を実行する際に操作される前記第１画像内の第１アイコンの表示領域の少なくとも一部と、アプリケーションの前記第１機能と同じ第２機能を実行する際に操作される前記第２画像内の第２アイコンの表示領域の少なくとも一部とを、前記画面上において互いに重ねて配置する機能を備える、表示制御装置。
【請求項２】
請求項１に記載の表示制御装置であって、
アプリケーションの第３機能を実行する際に操作される前記第１画像内の第３アイコンの表示領域と、アプリケーションの前記第３機能と異なる第４機能を実行する際に操作される前記第２画像内の第４アイコンの表示領域とを、前記画面上において離間して配置する機能をさらに備える、表示制御装置。
【請求項３】
請求項２に記載の表示制御装置であって、
前記第１アイコンに分類される第５アイコンの表示領域と、前記第２アイコンに分類される第６アイコンの表示領域とが前記画面上において離間すると判断した場合には、前記第５アイコンの表示領域及び前記第６アイコンの表示領域の少なくともいずれか一方を移動させてこれらの少なくとも一部を重ねる第１制御と、前記第３アイコンに分類される第７アイコンの表示領域の少なくとも一部と、前記第４アイコンに分類される第８アイコンの表示領域の少なくとも一部とが前記画面上において重なると判断した場合には、前記第７アイコンの表示領域及び前記第８アイコンの表示領域の少なくともいずれか一方を移動させてこれらを離間する第２制御との少なくともいずれか一つを実行する制御部
をさらに備える、表示制御装置。
【請求項４】
請求項３に記載の表示制御装置であって、
前記制御部は、
前記第５アイコンを含むアプリケーション及び前記第６アイコンを含むアプリケーションの種類または実行順に基づいて、前記第５アイコン及び前記第６アイコンのうち移動させる一方を選択し、前記第７アイコンを含むアプリケーション及び前記第８アイコンを含むアプリケーションの種類または実行順に基づいて、前記第７アイコン及び前記第８アイコンのうち移動させる一方を選択する、表示制御装置。
【請求項５】
請求項３または請求項４に記載の表示制御装置であって、
前記制御部は、
アプリケーションの機能を実行するための前記第１画像に対する操作と、アプリケーションの機能を実行するための前記第２画像に対する操作とを一律に受け付ける入力部における、前記第１アイコンに対する操作が実施されたか否かを判定するための感度領域を、前記第１アイコンの表示領域よりも前記第１方向側に設定する、表示制御装置。
【請求項６】
請求項３乃至請求項５のいずれかに記載の表示制御装置であって、
前記制御部は、
アプリケーションの機能を実行するための前記第１画像に対する操作と、アプリケーションの機能を実行するための前記第２画像に対する操作とを一律に受け付ける入力部からの出力信号に基づき、前記第１アイコンまたは前記第２アイコンに対する操作が実施されたと判定された場合には第１音声信号を生成し、前記出力信号に基づき、前記第３アイコンまたは前記第４アイコンに対する操作が実施されたと判定された場合には第１音声信号と音声が異なる第２音声信号を生成する、表示制御装置。
【請求項７】
請求項２乃至請求項６のいずれかに記載の表示制御装置であって、
前記第１アイコン及び前記第２アイコンと、前記第３アイコン及び前記第４アイコンとが異なる表示形態で表示される、表示制御装置。
【請求項８】
請求項１乃至請求項７のいずれかに記載の表示制御装置であって、
前記１アイコンの表示領域が、前記第２アイコンの表示領域よりも前記第１方向側に配置される、表示制御装置。
【請求項９】
請求項２に記載の表示制御装置が前記表示部に表示させることが可能な画像を設計する画像設計方法であって、
（ａ）前記第１アイコンの表示領域及び前記第２アイコンの表示領域の一方を含む画像データを設計する工程と、
（ｂ）前記第１アイコンの表示領域及び前記第２アイコンの表示領域の他方を含む画像データを設計している際に、当該他方の表示領域の少なくとも一部が当該一方の表示領域の少なくとも一部と前記画面上において重なるか否かをデータ上で自動的に判断する工程と、
（ｃ）前記工程（ｂ）の判断結果に応じて出力装置により操作者に通知を行なう工程と
を備える、画像設計方法。
【請求項１０】
請求項９に記載の画像設計方法であって、
（ｄ）前記第３アイコンの表示領域及び前記第４アイコンの表示領域の一方を含む画像データを設計する工程と、
（ｅ）前記第３アイコンの表示領域及び前記第４アイコンの表示領域の他方を含む画像データを設計している際に、当該他方の表示領域の少なくとも一部が当該一方の表示領域の少なくとも一部と前記画面上において重なるか否かをデータ上で自動的に判断する工程と、
（ｆ）前記工程（ｅ）の判断結果に応じて出力装置により操作者に通知を行なう工程と
をさらに備える、画像設計方法。
【請求項１１】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
アプリケーションの第１機能を実行する際に操作される前記第１画像内の第１アイコンの表示領域の少なくとも一部と、アプリケーションの前記第１機能と同じ第２機能を実行する際に操作される前記第２画像内の第２アイコンの表示領域の少なくとも一部とを、前記画面上において互いに重ねて配置する工程を備える、表示制御方法。
【発明の詳細な説明】
【技術分野】
【０００１】
本発明は、表示部を制御する表示制御装置及び表示制御方法、並びに、表示制御装置が表示部に表示させることが可能な画像を設計する画像設計方法に関するものである。
【背景技術】
【０００２】
画面を見る方向によって異なる画像を一画面に表示可能な多重画像表示装置として、スプリットビュー（マルチビュー、デュアルビュー（登録商標）とも言う）方式の表示装置が知られており、近年、様々な分野においてスプリットビュー表示装置を適用することが提案されている。例えば、スプリットビュー表示装置と、その画面に配設されたタッチパネルとを、車載のナビゲーション装置に適用することが提案されている。このようなナビゲーション装置によれば、運転席側の方向と助手席側の方向とで異なる内容の画像を画面に表示するとともに、当該画像内に表示されているアイコンに対する操作をタッチパネルにて受け付けることが可能となる。
【０００３】
しかしながら、上述のようなナビゲーション装置においては、運転席側の方向に表示される画像内のアイコンの位置と、助手席側の方向に表示される画像内のアイコンの位置とがスプリットビュー表示装置の画面上において重なっている場合がある。このような場合には、アイコンに対する操作をタッチパネルにて受け付けたとしても、運転席側の方向に表示されている画像内のアイコンに対して操作が実施されたのか、助手席側の方向に表示されている画像内のアイコンに対して操作が実施されたのかを判別できないという問題があった。
【０００４】
そこで、特許文献１には、運転席側の方向に表示される画像内のアイコンの位置と、助手席側の方向に表示される画像内のアイコンの位置とが重ならないように、それらを互いに異なる位置に配置する技術が提案されている。
【先行技術文献】
【特許文献】
【０００５】
【特許文献１】国際公開第２００６／１００９０４号
【発明の概要】
【発明が解決しようとする課題】
【０００６】
しかしながら、アイコンを配置できる画面の領域は限られていることから、運転席側の方向に表示される画像内のアイコンと、助手席側の方向に表示される画像内のアイコンとを一律に異なる位置に配置すると、アイコンを配置するための領域が不足するという問題があった。
【０００７】
そこで、本発明は、上記のような問題点を鑑みてなされたものであり、アイコンを配置するための領域が不足することを抑制可能な技術を提供することを目的とする。
【課題を解決するための手段】
【０００８】
本発明に係る表示制御装置は、第１方向にて視認可能であるが第２方向にて視認できない第１画像と、第２方向にて視認可能であるが第１方向にて視認できない第２画像とを一つの画面上に表示可能な表示部を制御する表示制御装置であって、アプリケーションの第１機能を実行する際に操作される第１画像内の第１アイコンの表示領域の少なくとも一部と、アプリケーションの第１機能と同じ第２機能を実行する際に操作される第２画像内の第２アイコンの表示領域の少なくとも一部とを、画面上において互いに重ねて配置する機能を備える。
【発明の効果】
【０００９】
本発明によれば、アプリケーションの第１機能を実行する際に操作される第１画像内の第１アイコンの表示領域の少なくとも一部と、アプリケーションの第１機能と同じ第２機能を実行する際に操作される第２画像内の第２アイコンの表示領域の少なくとも一部とを、画面上において互いに重ねて配置する。これにより、アイコンを配置するための領域が不足することを抑制することができる。
【図面の簡単な説明】
【００１０】
【図１】実施の形態１に係るナビゲーション装置の構成の一例を示すブロック図である。
【図２】実施の形態１に係るスプリットビュー表示部の構成の一例を示す断面図である。
【図３】実施の形態１に係るスプリットビュー表示部の表示例を示す図である。
【図４】実施の形態１に係るスプリットビュー表示部の構成の一例を示す断面図である。
【図５】実施の形態１に係るスプリットビュー表示部の表示例を示す図である。
【図６】関連ナビゲーション装置の左用画像及び右用画像の表示例を示す図である。
【図７】実施の形態１に係るナビゲーション装置の動作を示すフローチャートである。
【図８】実施の形態１に係るナビゲーション装置の左用画像及び右用画像の表示例を示す図である。
【図９】実施の形態１の変形例１に係るナビゲーション装置の左用画像及び右用画像の表示例を示す図である。
【図１０】実施の形態１の変形例２に係るナビゲーション装置の左用画像及び右用画像の表示例を示す図である。
【図１１】実施の形態１の変形例３に係るナビゲーション装置の左用画像及び右用画像の表示例を示す図である。
【図１２】実施の形態２に係る画像設計方法を示すフローチャートである。
【図１３】実施の形態２に係る画像設計方法を示すフローチャートである。
【図１４】実施の形態３に係るナビゲーション装置の動作を示すフローチャートである。
【図１５】実施の形態３に係るナビゲーション装置の左用画像及び右用画像のアイコンの配置の変更を説明する図である。
【図１６】実施の形態３に係るナビゲーション装置の左用画像及び右用画像の表示例を示す図である。
【発明を実施するための形態】
【００１１】
＜実施の形態１＞
本発明の実施の形態１として、本発明に係る表示制御装置を、車両に搭載可能なナビゲーション装置に適用した場合を例にして説明する。図１は、当該ナビゲーション装置の構成の一例を示すブロック図である。以下、図１に示されるナビゲーション装置１が搭載された車両を「自車」と記載して説明する。
【００１２】
ナビゲーション装置１は、スプリットビュー表示部２と、タッチパネル３と、操作入力処理部９と、インタフェース部１０と、記憶部１１と、左用画像生成部１２と、右用画像生成部１３と、これらを統括的に制御する制御部１４とを備えて構成されている。
【００１３】
インタフェース部１０は、無線通信部４、スピーカ５、ＤＶＤ（Digital Versatile Disk）プレーヤ６、エアコン７及び車内ＬＡＮ（Local Area Network）８と、制御部１４との間に接続されている。無線通信部４、スピーカ５、ＤＶＤプレーヤ６、エアコン７及び車内ＬＡＮ８と、制御部１４との間では、インタフェース部１０を介して各種情報や各種信号が双方向に出力される。以下、説明を簡単にするため、一方がインタフェース部１０を介して他方に情報を出力すると記載する代わりに、一方が他方に情報を出力すると記載する。制御部１４は、制御情報を、無線通信部４、スピーカ５、ＤＶＤプレーヤ６、エアコン７及び車内ＬＡＮ８に出力することにより、これらを制御することが可能となっている。
【００１４】
スプリットビュー表示部２は、例えば自車のダッシュボードなどに配設される。スプリットビュー表示部２は、左座席の方向（第１方向）にて視認可能であるが右座席の方向から視認できない第１画像（以下「左用画像」と記す）と、右座席の方向（第２方向）にて視認可能であるが左座席の方向から視認できない第２画像（以下「右用画像」と記す）とを一つの画面上に表示することが可能となっている。
【００１５】
後述するように、スプリットビュー表示部２は、左用画像内のアイコン（第１アイコン）と、右用画像内のアイコン（第２アイコン）とを表示する。以下では、左座席が運転席であり、右座席が助手席である構成を例にして説明するが、左座席が助手席であり、右座席が運転席である構成では、以下の説明において左と右とを互いに読み替えたものと同様である。
【００１６】
スプリットビュー表示部２には、例えば、空間分割方式の表示装置が適用される。図２に当該表示装置の模式断面図を示す。図２に示す表示装置２００は、表示画面２０１と、視差バリア２０２とを備えている。表示画面２０１には、左用画像を表示するための第１画素２０１ａと、右用画像を表示するための第２画素２０１ｂとが水平方向（左右方向）に沿って交互に配置されている。視差バリア２０２は、左座席の方向に対しては第１画素２０１ａの光を通過させるが第２画素２０１ｂの光を遮断し、右座席の方向に対しては第２画素２０１ｂの光を通過させるが第１画素２０１ａの光を遮断する。このような構成によれば、左座席のユーザ１０１ａは、右用画像を視認できないが左用画像を視認することができ、右座席のユーザ１０１ｂは、左用画像を視認できないが右用画像を視認することができる。
【００１７】
スプリットビュー表示部２に空間分割方式の表示装置２００を適用した構成では、視差バリア２０２が左座席の方向に複数の第１画素２０１ａからの光を通過させることによって左用画像内のアイコンが視認可能に表示され、視差バリア２０２が右座席の方向に複数の第２画素２０１ｂからの光を通過させることによって右用画像内のアイコンが視認可能に表示される。このため、左用画像内のアイコンの表示領域の外縁部は、当該アイコンの表示に用いられた複数の第１画素２０１ａのうち外縁部に位置する第１画素２０１ａに対応し、右用画像内のアイコンの表示領域の外縁部は、当該アイコンの表示に用いられた複数の第２画素２０１ｂのうち外縁部に位置する第２画素２０１ｂに対応する。
【００１８】
図３は、空間分割方式のスプリットビュー表示部２の表示例を示す図であり、１フレームの左用画像及び右用画像が示されている。例えば、ＷＶＧＡ（Wide VGA）の表示装置においては、全体で横（ｘ軸）に８００ドット、縦（ｙ軸）に４８０ドットの画素を持つ。ＷＶＧＡの表示装置に対応する、図３のような空間分割方式のスプリットビュー表示装置は、表示装置の性能によっても異なるが、例えば、横に並べられた総数がＷＶＧＡの表示装置における横方向の画素数の２倍、つまり合計の画素数が横に１６００ドット、縦に４８０ドットの第１及び第２画素２０１ａ，２０１ｂで構成される。しかし、ここでは説明を容易にするため、スプリットビュー表示装置は、横に１３ドット、縦に４ドットの第１画素２０１ａと、それと同数の第２画素２０１ｂとで構成され、アイコンは横に４ドット、縦に１ドットの第１画素２０１ａまたは第２画素２０１ｂで表示されるものとして説明を行う。また、図３に示されるようなアイコンの１ドットのｘ軸（左右方向）のずれは、通常の視認位置からでは人の目では見分けがつかず、同一位置に表示されているように見える。
【００１９】
図３では、左用画像内のアイコンの外縁部（外枠）が破線で示されており、当該アイコンを表示するために、水平方向に配設された４つの画素２０１ａが用いられていることが示されている。また、図３では、右用画像内のアイコンの外縁部（外枠）が一点鎖線で示されており、当該アイコンを表示するために、水平方向に配設された４つの画素２０１ｂが用いられていることが示されている。なお、左用画像内のアイコンの表示に用いられる第１画素２０１ａの数、及び、右用画像内のアイコンの表示に用いられる第２画素２０１ｂの数は、４つに限ったものではない。
【００２０】
以下の説明では、スプリットビュー表示部２に空間分割方式の表示装置２００が適用された構成において、左用画像内のアイコンの表示に用いられた複数（図３では４つ）の第１画素２０１ａの少なくとも１つが、右用画像内のアイコンの表示に用いられた複数（図３では４つ）の第２画素２０１ｂのうち外縁部に位置する第２画素２０１ｂ（図３では一点鎖線に対応する第２画素２０１ｂ）に挟まれている場合に、当該左用画像内のアイコンの表示領域の少なくとも一部と、当該右用画像内のアイコンの表示領域の少なくとも一部とがスプリットビュー表示部２の画面上において互いに重なると記す。また、当該構成において、右用画像内のアイコンの表示に用いられた複数（図３では４つ）の第２画素２０１ｂの少なくとも１つが、左用画像内のアイコンの表示に用いられた複数（図３では４つ）の第１画素２０１ａのうち外縁部に位置する第１画素２０１ａ（図３では破線に対応する第１画素２０１ａ）に挟まれている場合にも、当該左用画像内のアイコンの表示領域の少なくとも一部と、当該右用画像内のアイコンの表示領域の少なくとも一部とがスプリットビュー表示部２の画面上において互いに重なると記す。一方、当該構成において、右用画像内のアイコンの表示に用いられた第２画素２０１ｂ、及び、左用画像内のアイコンの表示に用いられた第１画素２０１ａの一方が、他方に挟まれていない場合に、当該左用画像内のアイコンの表示領域と、当該右用画像内のアイコンの表示領域とがスプリットビュー表示部２の画面上において離間すると記す。
【００２１】
以上、スプリットビュー表示部２に、空間分割方式の表示装置２００が適用された構成について説明した。しかしこれに限ったものではなく、スプリットビュー表示部２には、例えば、時分割方式の表示装置が適用されてもよい。図４に当該表示装置の模式断面図を示す。図４に示す表示装置２５０は、表示画面２５１と、視差バリア２５２とを備えている。表示画面２５１は、第１期間では左用画像を画素２５１ｃによって表示し、第２期間では右用画像を画素２５１ｃによって表示する。視差バリア２５２は、第１期間では左座席の方向に対して画素２５１ｃの光を通過させるが右座席の方向に対して画素２５１ｃの光を遮断し、第２期間では右座席の方向に対して画素２５１ｃの光を通過させるが左座席の方向に対して画素２５１ｃの光を遮断する。なお、図４には、第１期間の状態が示されている。
【００２２】
上述のような構成によれば、左座席のユーザ１０１ａは、右用画像を視認できないが左用画像を視認することができ、右座席のユーザ１０１ｂは、左用画像を視認できないが右用画像を視認することができる。なお、右座席のユーザ１０１ｂの目は、第１期間において、スプリットビュー表示部２から画素２５１ｃの光を受けていない。しかし、この第１期間は非常に短く設定されていることから、第１期間に目が光を受けていないことは右座席のユーザ１０１ｂに認識されない。一方、第２期間に目が受けた光の残像効果によって、第１期間においても第２期間の画像が表示されているように右座席のユーザ１０１ｂに認識される。同様に、第２期間に目が光を受けていないことは左座席のユーザ１０１ａに認識されず、第１期間に目が受けた光の残像効果によって、第２期間においても第１期間の画像が表示されているように左座席のユーザ１０１ａに認識される。
【００２３】
スプリットビュー表示部２に時分割方式の表示装置２５０を適用した構成では、視差バリア２５２が、第１期間に左座席の方向に複数の画素２５１ｃからの光を通過させることによって左用画像内のアイコンが視認可能に表示され、第２期間に右座席の方向に複数の画素２５１ｃからの光を通過させることによって右用画像内のアイコンが視認可能に表示される。このため、左用画像内のアイコンの表示領域の外縁部は、当該アイコンの表示に用いられた複数の画素２５１ｃのうち外縁部に位置する画素２５１ｃに対応し、右用画像内のアイコンの表示領域の外縁部は、当該アイコンの表示に用いられた複数の画素２５１ｃのうち外縁部に位置する画素２５１ｃに対応する。
【００２４】
図５（ａ）及び図５（ｂ）は、時分割方式のスプリットビュー表示部２の表示例を示す図であり、１フレームの左用画像及び右用画像が示されている。例えば、ＷＶＧＡの表示装置においては、上述したように、全体で横（ｘ軸）に８００ドット、縦（ｙ軸）に４８０ドットの画素を持つ。ＷＶＧＡの表示装置に対応する、図５（ａ）及び図５（ｂ）のような時分割方式のスプリットビュー表示装置は、表示装置の性能によっても異なるが、例えば、横に８００ドット、縦に４８０ドットの画素２５１ｃで構成される。しかし、ここでは説明を容易にするため、スプリットビュー表示装置は、横に１３ドット、縦に４ドットの画素２５１ｃで構成され、アイコンは横に３ドット、縦に１ドットの画素２５１ｃで表示されるものとして説明を行う。
【００２５】
図５（ａ）では、第１期間に表示される左用画像内のアイコンの外縁部（外枠）が破線で示されており、当該アイコンを表示するために、水平方向に配設された３つの画素２５１ｃが用いられていることが示されている。図５（ｂ）では、第２期間に表示される右用画像内のアイコンの外縁部（外枠）が破線で示されており、当該アイコンを表示するために、水平方向に配設された３つの画素２５１ｃが用いられていることが示されている。なお、左用画像内のアイコンの表示に用いられる画素２５１ｃの数、及び、右用画像内のアイコンの表示に用いられる画素２５１ｃの数は、３つに限ったものではない。
【００２６】
以下の説明では、スプリットビュー表示部２に時分割方式の表示装置２５０が適用された構成において、第１期間に左用画像内のアイコンの表示に用いられ、かつ、第２期間に右用画像内のアイコンの表示に用いられた画素２５１ｃが存在する場合に、当該左用画像内のアイコンの表示領域の少なくとも一部と、当該右用画像内のアイコンの表示領域の少なくとも一部とがスプリットビュー表示部２の画面上において互いに重なると記す。一方、第１期間に左用画像内のアイコンの表示に用いられ、かつ、第２期間に右用画像内のアイコンの表示に用いられた画素２５１ｃが存在しない場合に、当該左用画像内のアイコンの表示領域と、当該右用画像内のアイコンの表示領域とがスプリットビュー表示部２の画面上において離間すると記す。
【００２７】
詳細な構成については説明を省略するが、スプリットビュー表示部２には、空間分割方式と時分割方式とを組み合わせた方式の表示装置が適用されてもよい。そして、例えば、第１期間に左用画像内のアイコンの表示に用いられた画素の少なくとも一部が、第２期間に右用画像内のアイコンの表示に用いられた複数の画素のうち外縁部に位置する画素に挟まれている場合、または、第２期間に右用画像内のアイコンの表示に用いられた画素の少なくとも一部が、第１期間に左用画像内のアイコンの表示に用いられた複数の画素のうち外縁部に位置する画素に挟まれている場合に、当該左用画像内のアイコンの表示領域の少なくとも一部と、当該右用画像内のアイコンの表示領域の少なくとも一部とがスプリットビュー表示部２の画面上において互いに重なると記す。一方、第１期間に左用画像内のアイコンの表示に用いられた画素、及び、第２期間に右用画像内のアイコンの表示に用いられた画素の一方が、他方に挟まれていない場合に、当該左用画像内のアイコンの表示領域と、当該右用画像内のアイコンの表示領域とがスプリットビュー表示部２の画面上において離間すると記す。
【００２８】
なお、スプリットビュー方式を用いた表示装置の具体的な構成は、例えば特開２００５−０７８０８０号公報及び国際公開第２０１２／０７０４４４号などに開示されている。なお、以上の説明では言及しなかったが、空間分割方式及び時分割方式のいずれにおいても、短い期間（例えば１／３０［秒］）で画素の走査が行われる。
【００２９】
図１に戻って、タッチパネル３の検出面は、スプリットビュー表示部２の画面に配設されている。タッチパネル３（入力部）は、アプリケーションの機能を実行するための左用画像に対する操作と、アプリケーションの機能を実行するための右用画像に対する操作とを一律に受け付ける。本実施の形態１に係るタッチパネル３は、ユーザ（運転者及び助手席の同乗者）の指などの指示体が検出面をタッチした場合に、指示体にタッチされた二次元の位置を、指示体の位置として検出する。タッチパネル３は、このような指示体の二次元の位置を定期的に検出し、当該二次元の位置を示す信号を、操作入力処理部９に出力する。
【００３０】
無線通信部４は、例えばＤＳＲＣ（Dedicate Short Range Communication）及び携帯電話機などを介してサーバと通信を行う。無線通信部４は、サーバから受信した情報（例えばダウンロードした情報など）を制御部１４に出力したり、制御部１４から出力された情報をサーバに送信したりする。また、無線通信部４は、ラジオ放送及びテレビ放送を受信し、それら放送から取得した情報を制御部１４に出力する。
【００３１】
スピーカ５（音声出力部）は、制御部１４から出力された音声信号に基づいて音声を出力する。
【００３２】
ＤＶＤプレーヤ６は、ＤＶＤに記録されたＡＶ（Audio-video）情報を再生し、当該ＡＶ情報を制御部１４に出力する。
【００３３】
エアコン７は、制御部１４の制御により、自車の室内の温度や湿度を調整する。
【００３４】
車内ＬＡＮ８は、自車のＥＣＵ（Electronic Control Unit）やＧＰＳ（Global Positioning System）装置などと通信を行う。例えば、車内ＬＡＮ８は、ＥＣＵから取得した自車の速度や、ＧＰＳ装置から取得した自車の現在位置（例えば緯度及び経度）を制御部１４に出力する。
【００３５】
操作入力処理部９には、スプリットビュー表示部２に表示されているアイコンの位置を示すアイコン位置情報が制御部１４から入力される。操作入力処理部９は、当該アイコン位置情報と、タッチパネル３の出力信号（指示体の二次元の位置を示す信号）とに基づいて、タッチパネル３、ひいてはスプリットビュー表示部２に表示されているアイコンなどに対して操作が実施されたか否かを判定する。ここでは、操作入力処理部９は、タッチパネル３の出力信号が示す指示体の位置が、左用画像内に表示されているアイコンの表示領域に重なる（当該指示体が、当該アイコンの外縁部から内側に位置する）と判定した場合には、当該アイコンに対する操作が実施されたと判定する。同様に、操作入力処理部９は、タッチパネル３の出力信号が示す指示体の位置が、右用画像内に表示されているアイコンの表示領域に重なる（当該指示体の位置が、当該アイコンの外縁部から内側に位置する）と判定した場合には、当該アイコンに対する操作が実施されたと判定する。そして、操作入力処理部９は、その判定結果を制御部１４に出力する。
【００３６】
以上のように本実施の形態１では、スプリットビュー表示部２に表示されているアイコンなどに対する操作が実施されたか否かを判定する処理を、操作入力処理部９によって実施するものとして説明するが、当該判定する処理は制御部１４によって実施されてもよい。また、図１では、操作入力処理部９は、タッチパネル３及び制御部１４とは別に設けられているが、これに限ったものではなく、タッチパネル３の機能としてタッチパネル３に備えられていてもよいし、制御部１４の機能として制御部１４に備えられていてもよい。
【００３７】
記憶部１１は、例えばハードディスクドライブ、ＤＶＤ及びそのドライブ装置、ブルーレイディスク及びそのドライブ装置、または、半導体メモリなどの記憶装置から構成される。記憶部１１は、制御部１４が動作するのに必要なプログラムのほか、制御部１４に用いられる情報を記憶している。制御部１４に用いられる情報には、例えば、アプリケーション（アプリケーションソフトウェア）、アプリケーションの機能を実行する際に操作されるアイコンが配置された画像、及び、地図情報などが含まれる。なお、以下の説明では、アプリケーションの機能を実行する際に操作されるアイコンが配置された画像（例えば図８（ａ）及び図８（ｂ）に対応する画像）を、「アイコン配置画像」と記す。「アイコン配置画像」は、地図情報にアイコンを表示した画像も含む。
【００３８】
左用画像生成部１２は、制御部１４から出力された表示情報に基づいて、左用画像を表示するための表示信号を生成し、当該表示信号をスプリットビュー表示部２に出力する。スプリットビュー表示部２は、左用画像生成部１２から表示信号を受けると、当該表示信号に基づいて左用画像を表示する。
【００３９】
右用画像生成部１３は、制御部１４から出力された表示情報に基づいて、右用画像を表示するための表示信号を生成し、当該表示信号をスプリットビュー表示部２に出力する。スプリットビュー表示部２は、右用画像生成部１３から表示信号を受けると、当該表示信号に基づいて右用画像を表示する。
【００４０】
ここで、左用画像生成部１２が生成する表示信号には、左用画像に用いられる複数の画素のそれぞれに例えば（１，１）、（２，１）、…、（８００，１）、（１，２）、…（８００，２）、…、（８００，４８０）という順序で割り当てられた画素番号が含まれている。同様に、右用画像生成部１３が生成する表示信号にも、右用画像に用いられる複数の画素のそれぞれに例えば（１，１）、（１，２）、…、（８００，４８０）という順序で割り当てられた画素番号が含まれる。このため、左用画像内のアイコンの表示に用いられる少なくとも１つの画素の画素番号と、右用画像内のアイコンの表示に用いられる少なくとも１つの画素の画素番号とが一致する場合には、当該左用画像内のアイコンの表示領域の少なくとも一部と、当該右用画像内のアイコンの表示領域の少なくとも一部とがスプリットビュー表示部２の画面上において互いに重なることに相当する。ここで、（ｘ，ｙ）は、当該画面上の左上を（１，１）とし、ｘ軸は右方向を正、ｙ軸は下方向を正としたｘｙ座標に対応した画素位置を示す。
【００４１】
制御部１４は、例えばＣＰＵ（Central Processing Unit）から構成されており、当該ＣＰＵが記憶部１１に記憶されたプログラムを実行することにより、ナビゲーション装置１にて様々なアプリケーションを実行すること、ひいては当該実行されたアプリケーションに応じてスピーカ５などを制御することが可能となっている。
【００４２】
例えば、制御部１４は、ナビゲーションのアプリケーションを実行した場合には、自車の現在位置と、タッチパネル３の出力信号に基づく目的地と、地図情報とに基づいて現在位置から目的地までの経路を探索し、当該経路に沿った案内を表示するための表示情報、及び、当該案内を音声出力するための音声信号を生成する。この結果、上述の案内が左用画像または右用画像として表示されるとともに、上述の案内の音声がスピーカ５にて出力される。
【００４３】
また、例えば、制御部１４は、ＤＶＤ再生のアプリケーションを実行した場合には、ＤＶＤプレーヤ６からのＡＶ情報を表示するための表示情報、及び、ＡＶ情報を音声出力するための音声信号を生成する。この結果、ＤＶＤに記憶された映像が左用画像または右用画像として表示されるとともに、ＤＶＤに記憶された音声がスピーカ５にて出力される。
【００４４】
また、制御部１４は、左用画像側にて実行可能な（左用画像側から実行可能な）１以上のアプリケーションに対応する１つのアイコン配置画像を記憶部１１から取得し、当該取得したアイコン配置画像を左用画像として表示させる。これにより、当該アプリケーションの機能を左用画像側にて実行するための操作の対象となるアイコンが、スプリットビュー表示部２（左用画像）に表示される。以下、左用画像として表示可能なアイコン配置画像を「左用アイコン配置画像」と記す。
【００４５】
同様に、制御部１４は、右用画像側にて実行可能な（右用画像側から実行可能な）１以上のアプリケーションに対応する１つのアイコン配置画像を記憶部１１から取得し、当該取得したアイコン配置画像を右用画像として表示させる。これにより、当該アプリケーションの機能を右用画像側にて実行するための操作の対象となるアイコンが、スプリットビュー表示部２（右用画像）に表示される。以下、右用画像として表示可能なアイコン配置画像を「右用アイコン配置画像」と記す。
【００４６】
＜関連するナビゲーション装置＞
ここで、本実施の形態１に係るナビゲーション装置１と関連するナビゲーション装置（以下「関連ナビゲーション装置」と記す）について説明する。なお、関連ナビゲーション装置においても、図１で説明した構成要素と同一または類似するものについては同じ符号を付す。
【００４７】
図６（ａ）及び図６（ｂ）は、関連ナビゲーション装置（スプリットビュー表示部２）の左用画像及び右用画像の表示例を示す図である。図６（ａ）の左用画像には、アイコンＬＣ１，ＬＣ２，ＬＤ１，ＬＤ２，ＬＤ３が配置された左用アイコン配置画像が表示されており、図６（ｂ）の右用画像には、アイコンＲＣ１，ＲＣ２，ＲＤ１，ＲＤ２，ＲＤ３が配置された右用アイコン配置画像が表示されている。なお、理解を容易にするため、図６（ａ）には、アイコンＲＣ１，ＲＣ２，ＲＤ１，ＲＤ２，ＲＤ３の位置が、実際にはスプリットビュー表示部２に表示されない二点鎖線で示されている。また、同様に、図６（ｂ）には、アイコンＬＣ１，ＬＣ２，ＬＤ１，ＬＤ２，ＬＤ３の位置が、実際にはスプリットビュー表示部２に表示されない二点鎖線で示されている。
【００４８】
ここで、アイコンＬＣ１，ＬＣ２を操作することによって実行されるアプリケーションの機能と、アイコンＲＣ１，ＲＣ２を操作することによって実行されるアプリケーションの機能とはそれぞれ同一であるものとする。以下の説明では、アイコンＬＣ１，ＬＣ２，ＲＣ１，ＲＣ２をまとめて「同一機能アイコンＬＣ１〜ＲＣ２」と記すこともあり、アイコンＬＣ１を「同一機能アイコンＬＣ１」と記すこともあり、アイコンＬＣ２，ＲＣ１，ＲＣ２についても同様に記すこともある。なお、同一機能アイコンＬＣ１〜ＲＣ２を操作することによって実行される機能としては、例えば、スピーカ５のボリュームを変更する機能、エアコン７の空調を変更する機能、オーディオ機器を変更する機能、放送チャンネルを変更する機能などが想定される。
【００４９】
一方、アイコンＬＤ１，ＬＤ２，ＬＤ３を操作することによって実行されるアプリケーションの機能と、アイコンＲＤ１，ＲＤ２，ＲＤ３を操作することによって実行されるアプリケーションの機能とは異なるものとする。以下の説明では、アイコンＬＤ１，ＬＤ２，ＬＤ３，ＲＤ１，ＲＤ２，ＲＤ３をまとめて「非同一機能アイコンＬＤ１〜ＲＤ３」と記すこともあり、アイコンＬＤ１を「非同一機能アイコンＬＤ１」と記すこともあり、アイコンＬＤ２，ＬＤ３，ＲＤ１，ＲＤ２，ＲＤ３についても同様に記すこともある。
【００５０】
関連ナビゲーション装置による図６（ａ）及び図６（ｂ）に示すような表示では、左座席のユーザが右用画像内のアイコンを意図せずに操作したり、右座席のユーザが左用画像内のアイコンを意図せずに操作したりすることがないように、スプリットビュー表示部２の画面上においてアイコンを互いに離間して配置している。
【００５１】
しかしながら、左用画像内のアイコンと、右用画像内のアイコンとを全てスプリットビュー表示部２の画面上の異なる位置に配置すると、アイコンを配置するための領域が不足するという問題があった。この問題を解決するために、各アイコンのサイズを小さくすることも考えられるが、操作したいアイコンの隣のアイコンを操作してしまうという事態が発生しやすくなるなど、使い勝手が悪くなる。そこで、以下で説明するように、本実施の形態１に係るナビゲーション装置１では、アイコンを配置するための領域が不足することを抑制することが可能となっている。
【００５２】
＜本実施の形態１に係るナビゲーション装置の動作＞
図７は、本実施の形態１に係るナビゲーション装置１の動作を示すフローチャートである。図７に示される動作はＣＰＵが記憶部１１に記憶されたプログラムを実行することによって行われる。以下、ナビゲーション装置１の動作について図７を用いて説明する。
【００５３】
まず、ステップＳ１にて、初期動作を実行するための操作が実施された場合に、制御部１４は初期動作を実行する。ここでは、初期動作として、制御部１４は、左用画像側及び右用画像側にて初期に実行すべきアプリケーションを記憶部１１から取得し、当該アプリケーションを実行する。
【００５４】
ステップＳ２にて、制御部１４は、左用画像側にて実行されているアプリケーションに対応する左用アイコン配置画像を記憶部１１から取得するとともに、右用画像側にて実行されているアプリケーションに対応する右用アイコン配置画像を記憶部１１から取得する。
【００５５】
ステップＳ３にて、制御部１４は、取得した左用アイコン配置画像をスプリットビュー表示部２の左用画像として表示し、取得した右用アイコン配置画像をスプリットビュー表示部２の右用画像として表示する。
【００５６】
図８は、本実施の形態１に係るナビゲーション装置１（スプリットビュー表示部２）のステップＳ３における左用画像及び右用画像の表示例を、図６と同様に示す図である。
【００５７】
本実施の形態１に係る左用アイコン配置画像及び右用アイコン配置画像では、操作時に実行される機能が同一であるアイコンＬＣ１の表示領域の少なくとも一部及びアイコンＲＣ１の表示領域の少なくとも一部が、スプリットビュー表示部２の画面上において互いに重ねられて配置される。また、操作時に実行される機能が同一であるアイコンＬＣ２の表示領域の少なくとも一部及びアイコンＲＣ２の表示領域の少なくとも一部が、スプリットビュー表示部２の画面上において互いに重ねられて配置されている。
【００５８】
ナビゲーション装置１は、図８に示されるように、操作時に実行される機能が同一であるアイコンがスプリットビュー表示部２の画面上において互いに重なる左用アイコン配置画像及び右用アイコン配置画像を記憶部１１から取得し、スプリットビュー表示部２に表示させる。したがって、本実施の形態１に係るナビゲーション装置１は、左用画像内の同一機能アイコンＬＣ１，ＬＣ２（第１アイコン）の表示領域の少なくとも一部と、右用画像内の同一機能アイコンＲＣ１，ＲＣ２（第２アイコン）の表示領域の少なくとも一部とを、スプリットビュー表示部２の画面上において互いに重ねて配置する機能を備えている。
【００５９】
また、本実施の形態１に係る左用アイコン配置画像及び右用アイコン配置画像では、操作時に実行される機能が異なるアイコンＬＤ１，ＬＤ２，ＬＤ３の表示領域及びアイコンＲＤ１，ＲＤ２，ＲＤ３の表示領域が、スプリットビュー表示部２の画面上において離間されて配置される。
【００６０】
ナビゲーション装置１は、図８に示されるように、操作時に実行される機能が異なるアイコンが離間される左用アイコン配置画像及び右用アイコン配置画像を記憶部１１から取得し、スプリットビュー表示部２に表示させる。つまり、本実施の形態１に係るナビゲーション装置１は、左用画像内の非同一機能アイコンＬＤ１，ＬＤ２，ＬＤ３（第３アイコン）の表示領域と、右用画像内の非同一機能アイコンＲＤ１，ＲＤ２，ＲＤ３（第４アイコン）の表示領域とを、スプリットビュー表示部２の画面上において離間して配置する機能を備えている。
【００６１】
図７に戻って、ステップＳ４にて、操作入力処理部９は、同一機能アイコンＬＣ１〜ＲＣ２または非同一機能アイコンＬＤ１〜ＲＤ３に対する操作が実施されたかを判定する。同一機能アイコンＬＣ１〜ＲＣ２に対する操作が実施されたと判定された場合にはステップＳ５に進み、非同一機能アイコンＬＤ１〜ＲＤ３に対する操作が実施されたと判定された場合にはステップＳ６に進む。
【００６２】
ステップＳ５にて、制御部１４は、操作された同一機能アイコンに対応するアプリケーションの機能を実行する。また、制御部１４は、第１音声信号を生成してスピーカ５に出力し、スピーカ５は、当該第１音声信号に基づく音声を出力する。その後ステップＳ４に戻る。なお、ステップＳ４に戻る際において、地図が左用画像または右用画像として表示されており、かつ、自車の位置が変化していた場合には、制御部１４は、当該変化に応じて当該地図をスクロールさせてもよい。このことは、ステップＳ５以外のステップからステップＳ４に戻る際においても同様である。また、操作された同一機能アイコンに対して、アイコン配置画像が予め対応付けられて記憶部１１に記憶されている場合には、ステップＳ５からステップＳ３に戻って、当該アイコン配置画像がスプリットビュー表示部２にて表示されてもよい。
【００６３】
ステップＳ６にて、制御部１４は、ステップＳ５と同様に、操作された非同一機能アイコンに対応するアプリケーションの機能を実行する。また、制御部１４は、第１音声信号と音声が異なる第２音声信号を生成してスピーカ５に出力し、スピーカ５は、当該第２音声信号に基づく音声を出力する。その後ステップＳ４に戻る。なお、操作された非同一機能アイコンに対して、アイコン配置画像が予め対応付けられて記憶部１１に記憶されている場合には、ステップＳ５からステップＳ３に戻って、当該アイコン配置画像がスプリットビュー表示部２にて表示されてもよい。
【００６４】
＜効果＞
以上のような本実施の形態１に係るナビゲーション装置１によれば、例えば図８に示したように、左用画像内のアイコンの表示領域の少なくとも一部と、それと機能が同一である右用画像内のアイコンの表示領域の少なくとも一部とを、スプリットビュー表示部２の画面上において互いに重ねて配置する。これにより、例えば図６に示される、右用画像内のアイコンと左用画像内のアイコンとを全て離間して配置する方式と比較すると、アイコンＬＣ１，ＬＣ２が配置（表示）されていた領域を空けることができる。したがって、アイコンを配置するための領域が不足することを抑制する（当該領域に余裕を持たせる）ことができるとともに、アイコンを配置する自由度を高めることができる。また、ユーザは、相手から同一機能アイコンに対する操作の依頼があった場合に、相手に代わって当該操作を実施することが可能となる。
【００６５】
また、本実施の形態１によれば、例えば図８に示したように、左用画像内のアイコンの表示領域と、それと機能が異なる右用画像内のアイコンの表示領域とを、スプリットビュー表示部２の画面上において離間して配置する。これにより、左座席のユーザが右用画像内のアイコンを意図せずに操作してしまったり、右座席のユーザが左用画像内のアイコンを意図せずに操作してしまったりすることを抑制することができる。特に、本実施の形態１によれば、上述したようにアイコンを配置するための領域に余裕を持たせることができることから、左用画像内のアイコンと右用画像内のアイコンとの間の間隔を広くすることが可能となる。よって、右座席のユーザが左用画像内のアイコンを意図せずに操作してしまったりする確率を減らすことができる。
【００６６】
また、本実施の形態１によれば、同一機能アイコンＬＣ１〜ＲＣ２が操作された場合に出力される音声と、非同一機能アイコンＬＤ１〜ＲＤ３が操作された場合に出力される音声とが異なるように構成されている。したがって、ユーザは、同一機能アイコンＬＣ１〜ＲＣ２の操作が実施されたのか、非同一機能アイコンＬＤ１〜ＲＤ３の操作が実施されたのかを確認することができる。
【００６７】
なお、これと同様に、左用画像内の非同一機能アイコンＬＤ１〜ＬＤ３が操作された場合に出力される音声と、右用画像内の非同一機能アイコンＲＤ１〜ＲＤ３が操作された場合に出力される音声とが異なるように構成されてもよい。また、自車が走行している場合には、運転席から視認可能な非同一機能アイコンに対する操作が制約されてもよい。
【００６８】
＜実施の形態１の変形例１＞
図９は、実施の形態１の変形例１に係るナビゲーション装置１のステップＳ３における左用画像及び右用画像の表示例を、図８と同様に示す図である。
【００６９】
図９に示されるように、本変形例１では、左用アイコン配置画像内の同一機能アイコンＬＣ１，ＬＣ２の表示領域が、右用アイコン配置画像内の同一機能アイコンＲＣ１，ＲＣ２の表示領域よりも左座席の方向側（画面の左側）に配置されている。これにより、右用画像内の同一機能アイコンＲＣ１，ＲＣ２の表示領域が、左用画像内の同一機能アイコンＬＣ１，ＬＣ２の表示領域よりも右座席の方向側（画面の右側）に配置されている。
【００７０】
このような本変形例１に係るナビゲーション装置１によれば、左座席のユーザが、左用画像内の同一機能アイコンＬＣ１，ＬＣ２を操作することを容易化することができる。また、同様に、右座席のユーザが、右用画像内の同一機能アイコンＲＣ１，ＲＣ２を操作することを容易化することができる。
【００７１】
＜実施の形態１の変形例２＞
図１０は、実施の形態１の変形例２に係るナビゲーション装置１のステップＳ３における左用画像及び右用画像の表示例を、図８と同様に示す図である。
【００７２】
図１０に示されるように、本変形例２に係る制御部１４は、タッチパネル３における、同一機能アイコンＬＣ１，ＬＣ２に対する操作が実施されたか否かを判定するための感度領域ＬＳ１，ＬＳ２を、同一機能アイコンＬＣ１，ＬＣ２の表示領域よりも左座席の方向側に設定する。つまり、同一機能アイコンＬＣ１，ＬＣ２に対する操作が実施されたか否かを操作入力処理部９で判定するための感度領域ＬＳ１，ＬＳ２が、同一機能アイコンＬＣ１，ＬＣ２の表示領域よりも、スプリットビュー表示部２の画面の左側に設定される。
【００７３】
ここで、左座席のユーザが、同一機能アイコンＬＣ１，ＬＣ２に対するタッチ操作を実施する場合には、視線の関係上、同一機能アイコンＬＣ１，ＬＣ２の表示領域よりも左側の領域をタッチする傾向がある。これに対して、本変形例２では、感度領域ＬＳ１，ＬＳ２が、同一機能アイコンＬＣ１，ＬＣ２の表示領域よりも左側に設定されるので、同一機能アイコンＬＣ１，ＬＣ２に対するユーザからの操作を確実に受け付けることができる。
【００７４】
なお、以上と同様に、制御部１４は、タッチパネル３における、同一機能アイコンＲＣ１，ＲＣ２に対する操作が実施されたか否かを判定するための感度領域ＲＳ１，ＲＳ２を、同一機能アイコンＲＣ１，ＲＣ２の表示領域よりも右座席の方向側に設定してもよい。また、以上と同様に、非同一機能アイコンＬＤ１，ＬＤ２，ＬＤ３の感度領域が、それらの表示領域よりも左側に設定されてもよく、非同一機能アイコンＲＤ１，ＲＤ２，ＲＤ３の感度領域が、それらの表示領域よりも右側に設定されてもよい。このように構成した場合にも、これらアイコンに対するユーザからの操作を確実に受け付けることができる。
【００７５】
＜実施の形態１の変形例３＞
図１１は、実施の形態１の変形例３に係るナビゲーション装置１のステップＳ３における左用画像及び右用画像の表示例を、図８と同様に示す図である。
【００７６】
図１１に示されるように、本変形例３では、同一機能アイコンＬＣ１〜ＲＣ２と、非同一機能アイコンＬＤ１〜ＲＤ３とが異なる表示形態で表示される。具体的には、図１１では、同一機能アイコンＬＣ１〜ＲＣ２の外枠には、直方体を二次元で示す図形が適用されており、非同一機能アイコンＬＤ１〜ＲＤ３の外枠には、長方形が適用されている。
【００７７】
このような本変形例２によれば、ユーザは、スプリットビュー表示部２に表示されているアイコンが同一機能アイコンであるか非同一機能アイコンであるかを容易に区別することができる。なお、同一機能アイコンと非同一機能アイコンとの表示形態が異なるのであれば、上述に限ったものではなく、例えば、同一機能アイコンＬＣ１〜ＲＣ２と、非同一機能アイコンＬＤ１〜ＲＤ３とを、外枠の線の太さが互いに異なるように表示してもよいし、アイコン内部の色が互いに異なるように表示してもよい。
【００７８】
＜実施の形態２＞
本発明の実施の形態２として、ナビゲーション装置１がスプリットビュー表示部２に表示させることが可能なアイコン配置画像を設計する画像設計方法について説明する。ここでは、例えば特開２００２−０８２８０５号公報などに開示された技術のようなＧＵＩ（Graphical User Interface）作成ツールを利用して、アイコン配置画像を作成するものとする。
【００７９】
図１２及び図１３は、本実施の形態２に係る画像設計方法を示すフローチャートである。なお、実際には、図１２に示される工程と、図１３に示される工程とは区別されずに並行して行われ、また、アイコン配置画像が完成するまで繰り返して行われる。そして、アイコン配置画像が完成された後には、アイコンとアイコン配置画像とを対応付ける工程が行われ、かつ、アイコン配置画像をナビゲーション装置１の記憶部１１に記憶する工程が行われる。しかし説明を簡素化する観点から、ここではアイコン配置画像を設計する工程について詳細に説明する。
【００８０】
まず、図１２に示すステップＳ２１にて、ＧＵＩ作成ツールは、画像設計者（操作者）の操作に応じて、同一機能アイコンＬＣ１，ＬＣ２を含む左用アイコン配置画像のデータ（画像データ）を設計する。
【００８１】
ステップＳ２２にて、ＧＵＩ作成ツールは、画像設計者の操作に応じて、同一機能アイコンＲＣ１，ＲＣ２を含む右用アイコン配置画像のデータ（画像データ）を設計する。この際に、ＧＵＩ作成ツールは、同一機能アイコンＲＣ１，ＲＣ２の表示領域の少なくとも一部が、同一機能アイコンＬＣ１，ＬＣ２の表示領域の少なくとも一部と、スプリットビュー表示部２の画面上において重なるか否かをデータ上で自動的に判断する。
【００８２】
ステップＳ２３にて、ＧＵＩ作成ツールは、ステップＳ２２の判断結果に応じて出力装置（図示せず）により画像設計者に通知を行う。例えば、ＧＵＩ作成ツールは、同一機能アイコンＲＣ１，ＲＣ２の表示領域が、同一機能アイコンＬＣ１，ＬＣ２の表示領域とスプリットビュー表示部２の画面上において離間する場合には、表示などによってその旨を通知する。その後、図１２に示す動作が終了する。
【００８３】
一方、図１３に示すステップＳ３１にて、ＧＵＩ作成ツールは、画像設計者の操作に応じて、非同一機能アイコンＬＤ１，ＬＤ２，ＬＤ３を含む左用アイコン配置画像のデータ（画像データ）を設計する。
【００８４】
ステップＳ３２にて、ＧＵＩ作成ツールは、画像設計者の操作に応じて、非同一機能アイコンＲＤ１，ＲＤ２，ＲＤ３を含む右用アイコン配置画像のデータ（画像データ）を設計する。この際に、ＧＵＩ作成ツールは、非同一機能アイコンＲＤ１，ＲＤ２，ＲＤ３の表示領域の少なくとも一部が、非同一機能アイコンＬＤ１，ＬＤ２，ＬＤ３の表示領域の少なくとも一部と、スプリットビュー表示部２の画面上において重なるか否かをデータ上で自動的に判断する。
【００８５】
ステップＳ３３にて、ＧＵＩ作成ツールは、ステップＳ３２の判断結果に応じて出力装置（図示せず）により画像設計者に通知を行う。例えば、ＧＵＩ作成ツールは、非同一機能アイコンＲＤ１，ＲＤ２，ＲＤ３の表示領域の少なくとも一部が、非同一機能アイコンＬＤ１，ＬＤ２，ＬＤ３の表示領域の少なくとも一部とスプリットビュー表示部２の画面上において重なる場合には、表示などによってその旨を通知する。その後、図１３に示す動作が終了する。
【００８６】
＜効果＞
以上のような本実施の形態２に係る画像設計方法によれば、画像設計者は、同一機能アイコンＬＣ１，ＬＣ２の表示領域の少なくとも一部と、同一機能アイコンＲＣ１，ＲＣ２の表示領域の少なくとも一部とがスプリットビュー表示部２の画面上において互いに重なっているかを認識しながらアイコン配置画像を設計することができる。したがって、図８のような表示を実現するためのアイコン配置画像を容易に設計することができる。
【００８７】
また、本実施の形態２によれば、画像設計者は、非同一機能アイコンＬＤ１，ＬＤ２，ＬＤ３の表示領域と、非同一機能アイコンＲＤ１，ＲＤ２，ＲＤ３の表示領域とがスプリットビュー表示部２の画面上において離間しているかを認識しながらアイコン配置画像を設計することができる。したがって、図８のような表示を実現するためのアイコン配置画像を容易に設計することができる。
【００８８】
＜実施の形態３＞
本発明の実施の形態３に係るナビゲーション装置１のブロック構成は、実施の形態１のブロック構成（図１）と同じであることから、その図示については省略する。そして、本実施の形態３に係るナビゲーション装置１において、実施の形態１で説明した構成要素と同一または類似するものについては同じ符号を付し、以下においては異なる点を中心に説明する。
【００８９】
実施の形態１に係る制御部１４は、記憶部１１に記憶されたアイコン配置画像を、その中のアイコンの表示領域（配置）を変更せずにスプリットビュー表示部２に表示するものであった。これに対して、本発明の実施の形態３に係る制御部１４は、アイコン配置画像を、その中のアイコンの表示領域（配置）を動的に変更しながらスプリットビュー表示部２に表示する。
【００９０】
図１４は、本実施の形態３に係るナビゲーション装置１の動作を示すフローチャートである。なお、図１４に示すフローチャートは、図７に示したフローチャートのステップＳ３をステップＳ５１，Ｓ５２、Ｓ５３及びＳ５４に置き換えたものと同じであることから、以下においては、ステップＳ５１，Ｓ５２、Ｓ５３及びＳ５４について主に説明する。
【００９１】
ステップＳ５１にて、制御部１４は、ステップＳ２，Ｓ５またはＳ６で取得した左用アイコン配置画像を、左用画像内の同一機能アイコン、または、左用画像内の非同一機能アイコンに分類し、右用アイコン配置画像のアイコンを、右用画像内の同一機能アイコン、または、右用画像内の非同一機能アイコンに分類する。
【００９２】
図１５は、本実施の形態３に係るナビゲーション装置１の左用画像及び右用画像のアイコンの配置の変更を説明する図である。図１５（ａ）には、アイコンＬＣ１１，ＬＣ１２，ＬＤ１１，ＬＤ１２，ＬＤ１３が配置された左用アイコン配置画像が示されており、図１５（ｂ）には、アイコンＲＣ１１，ＲＣ１２，ＲＤ１１，ＲＤ１２，ＲＤ１３が配置された右用アイコン配置画像が示されている。なお、図１５（ａ）には、アイコンＲＣ１１，ＲＣ１２，ＲＤ１１，ＲＤ１２，ＲＤ１３の表示領域が、実際にはスプリットビュー表示部２に表示されない二点鎖線で示されている。また、同様に、図１５（ｂ）には、アイコンＬＣ１１，ＬＣ１２，ＬＤ１１，ＬＤ１２，Ｌ１Ｄ３の表示領域が、実際にはスプリットビュー表示部２に表示されない二点鎖線で示されている。
【００９３】
例えば、図１５（ａ）に示される左用アイコン配置画像内のアイコンＬＣ１１，ＬＣ１２を操作することによって実行される機能と、図１５（ｂ）に示される右用アイコン配置画像内のアイコンＲＣ１１，ＲＣ１２を操作することによって実行される機能とがそれぞれ同一であったものとする。この場合、ステップＳ５１にて制御部１４は、左用アイコン配置画像内のアイコンＬＣ１１，ＬＣ１２（第５アイコン）を、左用画像内の同一機能アイコンとして分類し、右用アイコン配置画像内のアイコンＲＣ１１，ＲＣ１２（第６アイコン）を、右用画像内の同一機能アイコンとして分類する。
【００９４】
また、例えば、図１５（ａ）に示される左用アイコン配置画像内のアイコンＬＤ１１，ＬＤ１２，ＬＤ１３を操作することによって実行される機能と、図１５（ｂ）に示される右用アイコン配置画像内のアイコンＲＤ１１，ＲＤ１２，ＲＤ１３を操作することによって実行される機能とが異なっていたものとする。この場合、ステップＳ５１にて制御部１４は、左用アイコン配置画像内のアイコンＬＤ１１，ＬＤ１２，ＬＤ１３（第７アイコン）を、左用画像内の非同一機能アイコンとして分類し、右用アイコン配置画像内のアイコンＲＤ１１，ＲＤ１２，ＲＤ１３（第８アイコン）を、右用画像内の非同一機能アイコンとして分類する。
【００９５】
ステップＳ５２にて、制御部１４は、アプリケーションの実行順に基づいて、次のステップＳ５３にて移動させる一方のアイコンを選択する。
【００９６】
制御部１４は、左用画像内の同一機能アイコンに分類されたアイコン（以下「左用同一分類アイコン」と記す）を含むアプリケーションが実行された時点と、右用画像内の同一機能アイコンに分類されたアイコン（以下「右用同一分類アイコン」と記す）を含むアプリケーションが実行された時点とを比較する。そして、制御部１４は、後の時点に実行されたアプリケーションに含まれるアイコンを、次のステップＳ５３にて移動させるアイコン（一方）として選択する。
【００９７】
例えば、図１５（ａ）の左用同一分類アイコンＬＣ１１，ＬＣ１２を含むアプリケーションは、図１５（ｂ）の右用同一分類アイコンＲＣ１１，ＲＣ１２を含むアプリケーションよりも後に実行されたものとする。この場合、ステップＳ５２にて制御部１４は、左用同一分類アイコンＬＣ１１，ＬＣ１２を、次のステップＳ５３にて移動させるアイコンとして選択する。
【００９８】
また、制御部１４は、左用画像内の非同一機能アイコンに分類されたアイコン（以下「左用非同一分類アイコン」と記す）を含むアプリケーションが実行された時点と、右用画像内の非同一機能アイコンに分類されたアイコン（以下「右用非同一分類アイコン」と記す）を含むアプリケーションが実行された時点とを比較する。そして、制御部１４は、後の時点に実行されたアプリケーションに含まれるアイコンを、次のステップＳ５３にて移動させるアイコン（一方）として選択する。
【００９９】
例えば、図１５（ａ）の左用非同一分類アイコンＬＤ１１，ＬＤ１２，ＬＤ１３を含むアプリケーションは、図１５（ｂ）の右用非同一分類アイコンＲＤ１１，ＲＤ１２，ＲＤ１３を含むアプリケーションよりも後に実行されていたものとする。この場合、ステップＳ５２にて制御部１４は、左用非同一分類アイコンＬＤ１１，ＬＤ１２，ＬＤ１３を、次のステップＳ５３にて移動させるアイコンとして選択する。
【０１００】
ステップＳ５３にて、制御部１４は、左用同一分類アイコンの表示領域と、右用同一分類アイコンの表示領域とが、スプリットビュー表示部２の画面上において離間すると判断した場合には、ステップＳ５２で選択した一方のアイコンの表示領域を移動させて、当該一方のアイコンの表示領域の少なくとも一部と、他方のアイコンの表示領域の少なくとも一部とをスプリットビュー表示部２の画面上において重ねる。また、ステップＳ５３にて、制御部１４は、左用非同一分類アイコンの表示領域の少なくとも一部と、右用非同一分類アイコンの表示領域の少なくとも一部とが、スプリットビュー表示部２の画面上において重なると判断した場合には、ステップＳ５２で選択した一方のアイコンの表示領域を移動させて、当該一方のアイコンの表示領域と、他方のアイコンの表示領域とをスプリットビュー表示部２の画面上において離間する。
【０１０１】
例えば、図１５（ａ）の左用同一分類アイコンＬＣ１１，ＬＣ１２の表示領域と、図１５（ｂ）の右用同一分類アイコンＲＣ１１，ＲＣ１２の表示領域とはスプリットビュー表示部２の画面上において離間している。この場合、ステップＳ５３にて制御部１４は、ステップＳ５２で選択した一方のアイコン（ここでは左用同一分類アイコンＬＣ１１，ＬＣ１２）の表示領域を移動させて、当該一方のアイコンの表示領域の少なくとも一部と、他方のアイコン（ここでは右用同一分類アイコンＲＣ１１，ＲＣ１２）の表示領域の少なくとも一部とをスプリットビュー表示部２の画面上において重ねる。
【０１０２】
また、例えば、図１５（ａ）の左用非同一分類アイコンＬＤ１１，ＬＤ１２，ＬＤ１３の少なくとも１つの表示領域の少なくとも一部と、図１５（ｂ）の右用非同一分類アイコンＲＤ１１，ＲＤ１２，ＲＤ１３の少なくとも１つの表示領域の少なくとも一部とはスプリットビュー表示部２の画面上において重なっている。この場合、ステップＳ５３にて制御部１４は、ステップＳ５２で選択した一方のアイコン（ここでは左用非同一分類アイコンＬＤ１１，ＬＤ１２，ＬＤ１３）の表示領域を移動させて、当該一方のアイコンの表示領域と、他方のアイコン（ここでは右用非同一分類アイコンＲＤ１１，ＲＤ１２，ＲＤ１３）の表示領域とをスプリットビュー表示部２の画面上において離間する。
【０１０３】
図１６は、ステップＳ５３の動作結果の左用画像及び右用画像の表示例を示す図である。図１６には、制御部１４のステップＳ５３の動作によって、図１５（ａ）の左用同一分類アイコンＬＣ１１，ＬＣ１２の表示領域の少なくとも一部と、図１５（ｂ）の右用同一分類アイコンＲＣ１１，ＲＣ１２の表示領域の少なくとも一部とがスプリットビュー表示部２の画面上において互いに重なっている。また、制御部１４のステップＳ５３の動作によって、図１５（ａ）の左用非同一分類アイコンＬＤ１１，ＬＤ１２，ＬＤ１３の表示領域と、図１５（ｂ）の右用非同一分類アイコンＲＤ１１，ＲＤ１２，ＲＤ１３の表示領域とがスプリットビュー表示部２の画面上において離間している。
【０１０４】
ステップＳ５４にて、制御部１４は、ステップＳ５３によって得られた左用アイコン配置画像をスプリットビュー表示部２の左用画像として表示し、ステップＳ５３によって得られた右用アイコン配置画像をスプリットビュー表示部２の右用画像として表示する。その後、実施の形態１と同様に、ステップＳ４〜Ｓ６の動作を行う。
【０１０５】
＜効果＞
以上のような本実施の形態３に係るナビゲーション装置１によれば、左用画像内の同一機能アイコンに分類されるアイコンの表示領域と、右用画像内の同一機能アイコンに分類されるアイコンの表示領域とが、スプリットビュー表示部２の画面上において離間すると判断した場合には、一方のアイコンの表示領域を移動させて、当該一方のアイコンの表示領域の少なくとも一部と、他方のアイコンの表示領域の少なくとも一部とをスプリットビュー表示部２の画面上において重ねる。したがって、例えば、記憶部１１に記憶されたアイコン配置画像の全てにおいて同一機能アイコンの表示領域が重なっていない場合や、ダウンロードなどによって取得したアイコン配置画像の同一機能アイコンの表示領域と、記憶部１１に記憶されたアイコン配置画像の同一機能アイコンの表示領域とが重なっていない場合であっても、スプリットビュー表示部２の画面上において表示領域の少なくとも一部が互いに重なる同一機能アイコンを確実に表示することができる。よって、これらの場合であっても、アイコンを配置するための領域が不足することを抑制することができる。
【０１０６】
また、本実施の形態３によれば、左用画像内の非同一機能アイコンに分類されるアイコンの表示領域の少なくとも一部と、右用画像内の非同一機能アイコンに分類されるアイコンの表示領域の少なくとも一部とが、スプリットビュー表示部２の画面上において重なると判断した場合には、一方のアイコンの表示領域を移動させて、当該一方のアイコンの表示領域と、他方のアイコンの表示領域とをスプリットビュー表示部２の画面上において離間する。したがって、例えば、記憶部１１に記憶されたアイコン配置画像の全てにおいて非同一機能アイコンの表示領域が離間していない場合や、ダウンロードなどによって取得したアイコン配置画像の非同一機能アイコンの表示領域と、記憶部１１に記憶されたアイコン配置画像の非同一機能アイコンの表示領域とが離間していない場合であっても、スプリットビュー表示部２の画面上において表示領域が互いに離間する非同一機能アイコンを確実に表示することができる。よって、これらの場合であっても、実施の形態１と同様に、アイコン配置の自由度を高めることができ、その結果として、左座席のユーザが右用画像のアイコンを意図せずに操作してしまったり、右座席のユーザが左用画像のアイコンを意図せずに操作してしまったりする確率を減らすことができる。
【０１０７】
また、本実施の形態３によれば、アプリケーションの実行順に基づいて移動させる一方のアイコンを選択する。したがって、本実施の形態３のように実行順が後のアプリケーションのアイコンを移動するように構成すれば、左座席のユーザ及び右座席のユーザのいずれか一方がアプリケーションを実行した場合に、他方が見ているアイコンが移動してしまうことを抑制することができる。
【０１０８】
＜実施の形態３の変形例＞
実施の形態３では、アプリケーションの実行順に基づいて移動させる一方のアイコンを選択したが、これに限ったものではない。例えば、アプリケーションの種類に基づいて移動させる一方のアイコンを選択してもよい。
【０１０９】
すなわち、ステップＳ５２にて制御部１４は、左用同一分類アイコンを含むアプリケーションの種類と、右用同一分類アイコンを含むアプリケーションの種類とに基づいて、移動させるアイコン（一方）を選択してもよい。同様に、ステップＳ５２にて制御部１４は、左用非同一分類アイコンを含むアプリケーションの種類と、右用非同一分類アイコンを含むアプリケーションの種類とに基づいて、移動させるアイコン（一方）を選択してもよい。
【０１１０】
具体的には、一方のアプリケーションの種類が、ナビゲーション装置１の出荷時に記憶されていたアプリケーション（組み込みアプリ）であり、他方のアプリケーションの種類が、ダウンロードにより取得されたアプリケーション（ダウンロードアプリ）であったとする。このような場合には、制御部１４は、組み込みアプリのアイコンの表示領域を移動させずに、ダウンロードアプリのアイコンの表示領域を移動させてもよい。または、これとは逆に、制御部１４は、ダウンロードアプリのアイコンの表示領域を移動させずに、組み込みアプリのアイコンの表示領域を移動させてもよい。
【０１１１】
例えば、一方のアプリケーションの種類が、ユーザに対して警報を出力するためのアプリケーションであり、他方のアプリケーションの種類が、ナビゲーション機能を実行するためのアプリケーションであった場合には、制御部１４は、警報を出力するためのアプリケーションのアイコンの表示領域を移動させずに、ナビゲーション機能を実行するためのアプリケーションのアイコンの表示領域を移動させてもよい。
【０１１２】
また例えば、一方のアプリケーションの種類が、ナビゲーション機能を実行するためのアプリケーションであり、他方のアプリケーションの種類が、ユーザにエンターテインメントを提供するためのアプリケーションであった場合には、制御部１４は、ナビゲーション機能を実行するためのアプリケーションのアイコンの表示領域を移動させずに、エンターテインメントを提供するためのアプリケーションのアイコンの表示領域を移動させてもよい。
【０１１３】
また、制御部１４は、左用同一分類アイコンの表示領域、及び、右用同一分類アイコンの表示領域のいずれか一方だけを移動させるのではなく、例えば、両方のアイコンの表示領域を、予め定められた領域（例えば画面の上側及び下側など）に移動させてもよい。同様に、制御部１４は、左用非同一分類アイコンの表示領域、及び、右用非同一分類アイコンの表示領域のいずれか一方だけを移動させるのではなく、例えば、前者のアイコンの表示領域を画面の左側に移動させるとともに、後者のアイコンの表示領域を画面の右側に移動させてもよい。
【０１１４】
また、例えば、記憶部１１に記憶されているアイコン配置画像の全てにおいて非同一機能アイコンの表示領域がスプリットビュー表示部２の画面上において離間するように構成されているなどの事情がある場合には、制御部１４は、左用非同一分類アイコンの表示領域及び右用非同一分類アイコンの表示領域を移動させずに、左用同一分類アイコンの表示領域及び右用同一分類アイコンの表示領域を移動させてもよい。
【０１１５】
同様に、例えば、記憶部１１に記憶されているアイコン配置画像の全てにおいて同一機能アイコンの表示領域がスプリットビュー表示部２の画面上において互いに重なるように構成されているなどの事情がある場合には、制御部１４は、左用同一分類アイコンの表示領域及び右用同一分類アイコンの表示領域を移動させずに、左用非同一分類アイコンの表示領域及び右用非同一分類アイコンの表示領域を移動させてもよい。
【０１１６】
また、実施の形態３または実施の形態３の本変形例に、実施の形態１の変形例１を組み合せてもよい。例えば、ステップＳ５３にて制御部１４は、左用同一分類アイコンの表示領域が、右用同一分類アイコンの表示領域よりも左座席の方向側に配置されるように、これらアイコンの表示領域の一部を、スプリットビュー表示部２の画面上において重ねてもよい。同様に、実施の形態３または実施の形態３の本変形例に、実施の形態１の変形例２及び変形例３を適宜組み合せてもよい。
【０１１７】
また、以上の動作を行ってもアイコンを配置するための領域が不足してしまう場合には、制御部１４は、使い勝手が悪くならない限りにおいて、アイコンのサイズを小さくしてもよい。
【０１１８】
＜その他の変形例＞
以上の説明では、入力部としてタッチパネル３を適用した構成について説明した。しかし、入力部は、アプリケーションの機能を実行するための左用画像に対する操作と、アプリケーションの機能を実行するための右用画像に対する操作とを一律に受け付けるものであればよく、タッチパネル３に限ったものではない。例えば、入力部には、スプリットビュー表示部２と離れて設けられたタッチパッドが適用されてもよい。このとき、タッチパッドには指示体の三次元の位置を求める機能を有し、タッチパッドの操作領域上の指示体の位置を、スプリットビュー表示部２の表示領域に対応付けておき、指示体の位置を示す点やアイコン表示で行ってもよい。
【０１１９】
＜表示制御装置をナビゲーション装置以外にも適用した変形例＞
以上で説明した表示制御装置は、車両に備え付けられたナビゲーション装置１だけでなく、車両に搭載可能な、ＰＮＤ（Portable Navigation Device）、及び、携帯端末（例えば携帯電話機、スマートフォン、及びタブレットなど）、並びにサーバなどを適宜に組み合せてシステムとして構築される表示制御装置にも適用することができる。この場合、以上で説明したナビゲーション装置１の各機能あるいは各構成要素は、前記システムを構築する各機器に分散して配置される。
【０１２０】
例えば、以上の説明では、表示制御装置を、ナビゲーション装置１に適用した構成について説明したが、これに限ったものではなく、ナビゲーション機能を持たないが表示機能を有する所謂ディスプレイオーディオ、ＰＮＤ、携帯端末、設置型の表示装置、及び、サーバのいずれかに適用してもよい。
【０１２１】
また、以上では、スプリットビュー方式の表示部に、ナビゲーション装置１が備えるスプリットビュー表示部２を適用した構成について説明したが、これに限ったものではない。例えば、表示制御装置をスマートフォンに適用する場合には、スマートフォンが備えるスプリットビュー方式の表示部が適用されてもよい。
【０１２２】
なお、本発明は、その発明の範囲内において、各実施の形態及び各変形例を自由に組み合せたり、各実施の形態及び各変形例を適宜、変形、省略したりすることが可能である。
【符号の説明】
【０１２３】
１  ナビゲーション装置、２  スプリットビュー表示部、３  タッチパネル、１４  制御部、ＬＣ１，ＬＣ２，ＬＣ１１，ＬＣ１２，ＬＤ１，ＬＤ２，ＬＤ３，ＬＤ１１，ＬＤ１２，ＬＤ１３，ＲＣ１，ＲＣ２，ＲＣ１１，ＲＣ１２，ＲＤ１，ＲＤ２，ＲＤ３，ＲＤ１１，ＲＤ１２，ＲＤ１３  アイコン、ＬＳ１，ＬＳ２，ＲＳ１，ＲＳ２  感度領域。
【図１】
2015108981.tif 000003
【図２】
2015108981.tif 000004
【図３】
2015108981.tif 000005
【図４】
2015108981.tif 000006
【図５】
2015108981.tif 000007
【図６】
2015108981.tif 000008
【図７】
2015108981.tif 000009
【図８】
2015108981.tif 000010
【図９】
2015108981.tif 000011
【図１０】
2015108981.tif 000012
【図１１】
2015108981.tif 000013
【図１２】
2015108981.tif 000014
【図１３】
2015108981.tif 000015
【図１４】
2015108981.tif 000016
【図１５】
2015108981.tif 000017
【図１６】
2015108981.tif 000018